(57)【要約】【課題】  操作性が良好で、かつ二つの部材をしっかりと連結することのできる連結具、及びかかる連結具を備える連結用足場板並びに手摺を提供すること。【解決手段】  連結対象部材に取付けられ、板状の連結相手部材に対して下方向から係合する第１の係合部と、上方から係合する第２の係合部とを有し、前記第１の係合部を、略水平状態に設けた支軸周りに回動自在に取付けられたロックプレートの前記支軸を挟む上下端部のうち下端部に形成した連結具とした。かかる連結具を、複数の脚体により支持された天板を備えた足場に着脱自在に連結可能とした連結用足場板、又は手摺に設けた。【選択図】    図６
2006241715.tif 000002
【特許請求の範囲】
【請求項１】
連結対象部材に取付けられ、板状の連結相手部材に対して下方向から係合する第１の係合部と、上方から係合する第２の係合部とを有し、
前記第１の係合部を、略水平状態に設けた支軸周りに回動自在に取付けられたロックプレートの前記支軸を挟む上下端部のうち下端部に形成したことを特徴とする連結具。
【請求項２】
前記支軸が突設され、かつ前記連結相手部材の連結側端面に当接可能な取付板を備え、この取付板の上端から略水平方向に伸延させた係合プレートの裏面に係合突起を突設して前記第２の係合部を構成したことを特徴とする請求項１記載の連結具。
【請求項３】
前記係合突起を複数並設したことを特徴とする請求項２記載の連結具。
【請求項４】
前記第１の係合部をフック部とし、このフック部に、前記連結相手部材の連結側端面に当接した状態で下方移動したときに、当該フック部の係合を解く方向へロックプレートを回動させるテーパ部を形成したことを特徴とする請求項１〜３のいずれか１項に記載の連結具。
【請求項５】
前記ロックプレートを前記第１の係合部側に付勢する弾性具を配設したことを特徴とする請求項１〜４のいずれか１項に記載の連結具。
【請求項６】
前記ロックプレートの上端部に、前記弾性具の付勢力に抗して前記ロックプレートを回動可能としたレバー部を形成したことを特徴とする請求項５記載の連結具。
【請求項７】
前記連結相手部材の連結側端部近傍に、前記第１の係合部と係合する係合用凸部と、前記第２の係合部を嵌入する係合用孔部とを設けたことを特徴とする請求項１〜６のいずれか１項に記載の連結具。
【請求項８】
前記連結相手部材の連結側端部に着脱自在に取付可能としたアタッチメントを別体で備え、このアタッチメントに前記係合用凸部と前記係合用孔部とを設けたことを特徴とする請求項７記載の連結具。
【請求項９】
複数の脚体により支持された天板を備えた足場に着脱自在に連結可能とした連結用足場板であって、
連結相手部材となる前記足場の天板端縁部に対峙する連結端縁部に、請求項１〜８のいずれか１項に記載の連結具を配設してなる連結用足場板。
【請求項１０】
複数の脚体により支持された天板を備えた足場に着脱自在に連結可能とした手摺であって、
連結相手部材となる前記足場の天板端縁部に立設する支柱の下端部に、請求項１〜８のいずれか１項に記載の連結具を配設してなる手摺。
【発明の詳細な説明】
【技術分野】
【０００１】
本発明は、連結具、同連結具を備える連結用足場板及び手摺に関する。
【背景技術】
【０００２】
従来、作業性を向上させるために、元々単独で用いることのできる足場や脚立などを複数用意し、これらの間に連結用足場板を掛け渡して足場面積を拡大することがあった。その場合、前記連結用足場板を掛け渡すだけでは不安定であるため、この連結用足場板と足場や脚立などとを互いに連結する連結具若しくは連結装置が用いられる。
【０００３】
例えば、特許文献１に記載の連結具は、足場の天板に上から係合可能な係合片と、この係合片の下方側で前記天板下部のロック位置へ向けて突出する浮上防止片とを備えている。
【０００４】
また、特許文献２に記載の連結具は、脚立同士を互いに直角に連結するためのもので、フレームを上下に挟むように配設し、前記フレームの幅方向に前後伸延させた上板と、一側に伸延させた下板とを備え、前記上板の一側伸延部に一方の脚立天板に設けた貫通孔に挿通する連結ピンを突設し、他方の脚立天板を前記上板と下板とで挟持して、上板、脚立天板、下板とを連結ピンで軸着する構成としている。
【特許文献１】特開２００３−１３８７４４号公報
【特許文献２】特開２００１−７３５４８号公報
【発明の開示】
【発明が解決しようとする課題】
【０００５】
上述した従来の連結具は、しっかりと連結できるのみならず、簡便に取り扱えることが望まれるものである。
【０００６】
しかしながら、例えば特許文献１に開示された連結具は、連結用足場板を掛け渡す場合、天板下部のロック位置へ向けて突出している浮上防止片を操作して、一旦ロック位置から動かさなければならず、さらに連結用足場板を掛け渡し終えた後は再びロック位置に戻す操作が必要であり、操作が面倒であった。また、確かに浮上防止片により、下方から吹き上げる風などには強いものの、左右方向のずれに抗し難く、連結した複数の足場を同時に動かしたりする場合、連結用足場板がずれてしまうおそれがあった。
【０００７】
また、特許文献２に開示された連結具についても、確かに連結は強固になるかもしれないが、その連結操作に手間がかかるものであった。
【０００８】
このように、従来の連結具は操作性に課題があり、特に、作業現場などで足場や脚立などを複数用意し、これに連結用足場板を繋いで足場面積を拡大する場合などには作業者の満足が得られるものはなかった。
本発明は、前述した従来の課題を解決することのできる連結具、同連結具を備える連結用足場板及び手摺を提供することを目的とする。
【課題を解決するための手段】
【０００９】
請求項１記載の本発明は、連結対象部材に取付けられ、板状の連結相手部材に対して下方向から係合する第１の係合部と、上方から係合する第２の係合部とを有し、前記第１の係合部を、略水平状態に設けた支軸周りに回動自在に取付けられたロックプレートの前記支軸を挟む上下端部のうち下端部に形成した連結具を提供するものである。
【００１０】
請求項２記載の本発明は、請求項１記載の連結具において、前記支軸が突設され、かつ前記連結相手部材の連結側端面に当接可能な取付板を備え、この取付板の上端から略水平方向に伸延させた係合プレートの裏面に係合突起を突設して前記第２の係合部を構成したことを特徴とする。
【００１１】
請求項３記載の本発明は、請求項２記載の連結具において、前記係合突起を複数並設したことを特徴とする。
【００１２】
請求項４記載の本発明は、請求項１〜３のいずれか１項に記載の連結具において、前記第１の係合部をフック部とし、このフック部に、前記連結相手部材の連結側端面に当接した状態で下方移動したときに、当該フック部の係合を解く方向へロックプレートを回動させるテーパ部を形成したことを特徴とする。
【００１３】
請求項５記載の本発明は、請求項１〜４のいずれか１項に記載の連結具において、前記ロックプレートを前記第１の係合部側に付勢する弾性具を配設したことを特徴とする。
【００１４】
請求項６記載の本発明は、請求項５記載の連結具において、前記ロックプレートの上端部に、前記弾性具の付勢力に抗して前記ロックプレートを回動可能としたレバー部を形成したことを特徴とする。
【００１５】
請求項７記載の本発明は、請求項１〜６のいずれか１項に記載の連結具において、前記連結相手部材の連結側端部近傍に、前記第１の係合部と係合する係合用凸部と、前記第２の係合部を嵌入する係合用孔部とを設けたことを特徴とする。
【００１６】
請求項８記載の本発明は、請求項７記載の連結具において、前記連結相手部材の連結側端部に着脱自在に取付可能としたアタッチメントを別体で備え、このアタッチメントに前記係合用凸部と前記係合用孔部とを設けたことを特徴とする。
【００１７】
請求項９記載の本発明は、複数の脚体により支持された天板を備えた足場に着脱自在に連結可能とした連結用足場板であって、連結相手部材となる前記足場の天板端縁部に対峙する連結端縁部に、請求項１〜８のいずれか１項に記載の連結具を配設してなる連結用足場板を提供するものである。
【００１８】
請求項１０記載の本発明は、複数の脚体により支持された天板を備えた足場に着脱自在に連結可能とした手摺であって、連結相手部材となる前記足場の天板端縁部に立設する支柱の下端部に、請求項１〜８のいずれか１項に記載の連結具を配設してなる手摺を提供するものである。
【発明の効果】
【００１９】
（１）請求項１記載の本発明に係る連結具によれば、連結対象部材に取付けられ、板状の連結相手部材に対して下方向から係合する第１の係合部と、上方から係合する第２の係合部とを有し、前記第１の係合部を、略水平状態に設けた支軸周りに回動自在に取付けられたロックプレートの前記支軸を挟む上下端部のうち下端部に形成したために、第１の係合部と第２の係合部とが連結相手部材に対して上下からしっかりと係合することができ、連結対象部材と連結相手部材とを確実に連結できるとともに、連結のための操作がきわめて簡便となる。
【００２０】
（２）請求項２記載の本発明によれば、前記支軸が突設され、かつ前記連結相手部材の連結側端面に当接可能な取付板を備え、この取付板の上端から略水平方向に伸延させた係合プレートの裏面に係合突起を突設して前記第２の係合部を構成している。このように、連結具は取付板を介して連結対象部材に取付けるようにしたために、上記（１）の効果に加え、様々な連結対象部材に連結具を容易に取付けることができ、連結具としての適用範囲が広がり、いかなる部材であっても、所望する連結相手部材に着脱可能な構成とすることができる。また、取付板に係合プレートを形成し、この係合プレートに係合突起を設け、さらに、取付板にはロックプレートを取付けることもできることから、より確実な連結が可能になるとともに、全体構成がコンパクトになる。
【００２１】
（３）請求項３記載の本発明によれば、前記係合突起を複数並設したことにより、上記（１）又は（２）の効果に加え、水平方向に加わる外力に対しても連結対象部材がずれたりすることがなく、連結対象部材及び連結相手部材とを連結した状態のまま水平移動したりすることも可能となる。
【００２２】
（４）請求項４記載の本発明によれば、前記第１の係合部をフック部とし、このフック部に、前記連結相手部材の連結側端面に当接した状態で下方移動したときに、当該フック部の係合を解く方向へロックプレートを回動させるテーパ部を形成したために、上記（１）〜（３）の効果に加え、連結相手部材に対して連結対象部材を上方から下ろしていくだけの簡単な動作でしっかりと連結可能となる。
【００２３】
（５）請求項５記載の本発明によれば、ロックプレートを前記第１の係合部側に付勢する弾性具を配設したことにより、上記（１）〜（４）の効果に加え、フック部が連結相手部材に対して自動的にロックがかかるようになるので連結作業が著しく容易となる。
【００２４】
（６）請求項６記載の本発明によれば、ロックプレートの上端部に、前記弾性具の付勢力に抗して前記ロックプレートを回動可能としたレバー部を形成したことにより、上記（１）〜（５）の効果に加え、ロック解除を簡単に行えるようになる。
【００２５】
（７）請求項７記載の本発明によれば、第１、第２の係合部による係合がより確実になり、上記（１）〜（３）の効果をより高めることができる。
【００２６】
（８）請求項８記載の本発明によれば、連結相手部材がいかなるものであってもそれに対応したアタッチメントを容易すれば、簡単かつ確実な連結が行えるようになり、上記（１）〜（７）の効果に加え、連結具としての汎用性が著しく向上する。
【００２７】
（９）請求項９記載の本発明によれば、単独で使用可能な足場を複数用意し、これらの間に連結用足場板を継ぎ足していくことで、所望する足場面積を有する足場を容易に構築することができる。
【００２８】
（１０）請求項１０記載の本発明によれば、足場に手摺を後付けすることが容易に行える。
【発明を実施するための最良の形態】
【００２９】
本実施の形態に係る連結具は、連結対象部材に取付けられ、板状の連結相手部材に対して下方向から係合する第１の係合部と、上方から係合する第２の係合部とを有し、前記第１の係合部を、略水平状態に設けた支軸周りに回動自在に取付けられたロックプレートの前記支軸を挟む上下端部のうち下端部に形成したものである。
すなわち、２つの部材（連結対象部材と板状の連結相手部材）を連結するに際し、一方の部材（連結対象部材）に設けた本実施形態に係る連結具を用いることにより、連結相手部材に対して、第１の係合部と第２の係合部とを上下両方向からしっかりと係合させることで強固な連結構造を実現することが可能となる。前記第１の係合部は例えばフック形状とし、連結相手部材に対して確実に係合可能な構成とすることが望ましい。一方、前記第２の係合部は、連結相手部材に重合状態に係合するものであればその形状や構造は特に限定されない。
【００３０】
連結対象部材としては、例えば複数の脚体により支持された天板を備えた足場に着脱自在に連結可能とした連結用足場板とすることができる。そして、連結相手部材となる前記足場の天板端縁部に対峙する当該連結用足場板の連結端縁部に、上記連結具を配設するのである。
かかる連結用足場板であれば、単独で使用可能な既存の足場を複数用意し、これらの間に当該連結用足場板を継ぎ足していくことで、所望する足場面積を有する組立足場を現場において容易に構築することができる。
【００３１】
また、連結具は、前記支軸が突設され、かつ前記連結相手部材の連結側端面に当接可能な取付板を備えた構成とし、この係合プレートの裏面に係合突起を突設して、この係合突起を含めて第２の係合部とすることができる。例えば前述したように、前記第２の係合部としては、取付板の上端から略水平方向に伸延させた係合プレートだけであっても構わないが、係合突起を設けることでより確実な連結が可能となる。なお、係合プレートとしては、連結相手部材の形状や大きさに応じたものにすればよい。このように、取付板にロックプレートと係合突起とを設けることができるので、連結具としてコンパクトで合理的な構成となる。
また、前記取付板を介することにより、例えば前記連結用足場板の他にも様々な連結対象部材に取付けることができるので、連結具としての適用範囲が広がる。したがって、いかなる部材であっても、所望する連結相手部材に着脱可能な構成とすることができるようになる。
【００３２】
ところで、前記係合プレートの裏面に設ける係合突起は複数並設することが望ましい。すなわち、水平方向に加わる外力に対してもこの連結用足場板のような連結対象部材がずれたりすることがなく、足場に連結用足場板を連結した組立足場であっても、組み立てた状態のまま任意の位置に水平移動したりすることも可能となる。
【００３３】
また、前記第１の係合部をフック部とし、このフック部に、前記連結相手部材の連結側端面に当接した状態で下方移動したときに、当該フック部の係合を解く方向へロックプレートを回動させるテーパ部を形成するとよい。
これは、例えば連結用足場板を足場に連結する場合、足場の天板に対して連結用足場板を上方から下ろしていくだけの簡単な動作でよく、その結果前述した連結構造となるのでしっかりと連結することが可能となり、広い足場面積を有する足場の構築作業能率が向上する。
【００３４】
また、連結具には、前記ロックプレートを前記第１の係合部側に付勢する弾性具を配設することが望ましい。
すなわち、上述した足場構築作業において、第１の係合部となるフック部は連結相手部材（足場の天板）に対して自動的にロックがかかるようになるので連結作業が著しく容易となる。
【００３５】
さらに、前記ロックプレートの上端部に、前記弾性具の付勢力に抗して前記ロックプレートを回動可能としたレバー部を形成するとなおさらよい。すなわち、ロック解除についてもレバー操作によって簡単に行えるようになる。
なお、この場合、連結対象部材が連結用足場板のような板状体であって、連結具をその端縁に設けることとした場合、板状体の一部に前記レバー部を回動操作するための切欠部を設けるとよい。この切欠部内にレバー部が臨むようにすることで、ロックプレートの状態を連結用足場板上から視認することができるし、手動操作も簡単に行える。
【００３６】
また、前記連結相手部材の連結側端部近傍に、前記第１の係合部と係合する係合用凸部と、前記第２の係合部を嵌入する係合用孔部とを設けることができる。
すなわち、第１係合部のフックと確実に係合する凸部と第２係合部の突起が嵌入する孔部を連結相手部材に設けることで、連結具としての係合力がより高まって強固な連結構造となる。
【００３７】
さらに、前記連結相手部材の連結側端部に着脱自在に取付可能としたアタッチメントを別体で備え、このアタッチメントに前記係合用凸部と前記係合用孔部とを設けることができる。
すなわち、前記構成のアタッチメントを設けることで、連結相手部材として、例えば前記足場の天板の他、様々な板状の連結相手部材に対して連結対象部材を取付けることができるようになり、いかなる相手部材であっても、所望する連結対象部材を容易かつ確実に連結することができるようになる。例えば、脚立の踏桟を連結相手部材として、２つの脚立間に、作業板などを連結対象部材として連結することもできる。
【００３８】
ところで、連結対象部材としては、例えば複数の脚体により支持された天板を備えた足場に着脱自在に連結可能とした手摺とすることもできる。
前記足場の天板端縁部に立設する支柱の下端部に、前述した連結具を取付けるもので、設置した足場に、手摺を必要に応じて後付けすることが容易に行えるようになる。
【００３９】
以下、本発明の実施形態を、図面を参照しながら、より具体的に説明する。図１は組立足場の正面図、図２は同組立足場の平面図である。なお、本実施形態においては、連結具を、足場に連結するための連結用足場板に設けたものとしている。
図１及び図２において、Ａは組立足場であり、この組立足場Ａは、単独で使用可能な既設の足場１と、連結用足場板２と、手摺３と、梯子６とから構成されている。
本実施形態では、２つの足場１を間隔をあけて対向状態に設置するとともに、両足場１，１間に前記連結用足場板２を必要数（本実施形態では４枚）掛け渡して所定の広さの作業面積を確保し、前記手摺３と梯子６とを必要箇所に取付けている。図中、１５は足場１，１の下部間を連結する連結補助杆である。
【００４０】
図３は前記足場１の正面図、図４は同平面図である。
図示するように、足場１は、パンチングメタル１１を張設した矩形形状の天板１０を４本の脚柱１２により支持して構成しており、前記天板１０の中央部分から２つ折り可能としている。また、天板１０の端縁部１２ａには、短尺側には一つ、長尺側には２つのアタッチメント４（図７参照）を取付けている。なお、このアタッチメント４については後に詳述する。なお、図３中、１３は前記脚柱１２の下端に取付けたキャスタ、１４は各脚柱１２間を連結する補強フレームである。
【００４１】
図５（ａ）は連結用足場板２の平面図、図５（ｂ）は同正面図、図５（ｃ）は同側面図である。
図５に示すように、連結用足場板２は、下面開口とした扁平な横長矩形枠状に形成されており、足場面２１の短辺をなす左右端縁部２１ａ，２１ｂには、その中央にそれぞれ連結具５を配設している。
この連結具５を介して連結用足場板２と足場１とを連結するのであるが、その際に、前記左右端縁部２１ａ，２１ｂと連結相手部材となる前記足場１の天板１０の端縁部１２ａとが互いに対峙状態となり、連結用足場板２と足場１とは略面一状態となるようにしている。なお、前記足場面２１にはバーリング加工による多数の滑止パターン２２が形成されている。
また、図５（ｂ）に示すように、足場面２１の前記左右端縁部２１ａ，２１ｂに接近させて、略矩形形状の窓部２３をそれぞれ切欠形成している。この窓部２３は、以下に説明する連結具５を、足場面２１側から視認可能とするとともに、足場面２１上からの操作を可能としている。
【００４２】
ここで、本実施形態において要部をなす連結具５の構成について、図６〜図１５を参照しながら説明する。図６は本実施形態に係る連結用足場板２の要部を断面視で示した説明図、図７（ａ）はアタッチメントの側面図、図７（ｂ）は同平面図、図７（ｃ）は同正面図、図７（ｄ）は同底面図、図８〜図１５は連結具の動作説明図である。
図６に示すように、本実施形態に係る連結具５は、連結対象部材となる前記連結用足場板２の左右端部にそれぞれ取付けられており、板状の連結相手部材である前記足場１の天板１０に対して下方向から係合する第１の係合部であるフック部５１と、上方から係合する第２の係合部である係合プレート５６及び同係合プレート５６に突設した係合突起５２とを備えている。
前記フック部５１は、支軸５３の周りに回動自在に取付けられたロックプレート５０の下端部に形成されており、前記支軸５３を挟む上下端部のうち、上端部にはレバー部５４が形成されている。
【００４３】
前記ロックプレート５０を回動自在に支持する前記支軸５３は、前記係合突起５２を設けた取付板５５に突設されている。
すなわち、取付板５５は、前記足場１に取付けられるアタッチメント４の垂直面４ｂ（前記足場１の連結側端面をなすもので図７及び図８を参照）に当接する垂直壁５５ａ（連結用足場板２の左端縁部２１ａ）の上端から略水平方向に伸延した係合プレート５６を有し、この係合プレート５６の略中央位置に係合突起５２を取付けるとともに、前記垂直壁５５ａの裏面側に、平面視で略Ｌ字状に形成した取付プレート５７を固着し、この取付プレート５７に前記支軸５３を突設している。５７ｂは取付プレート５７を取付板５５に連結するビスである。
【００４４】
このように、１つの取付板５５に、フック部５１を有するロックプレート５０と係合突起５２を有する係合プレート５６とを一体的に設けているので、連結具５としてコンパクトで合理的な構成となり、連結用足場板２への装着も容易となっている。
【００４５】
ところで、ここでは係合突起５２を１個としたが、所定間隔をあけて複数個配置することもできる。例えば、前記ロックプレート５０を挟むように左右側にそれぞれ１個ずつ設けることができる。このように複数の係合突起５２を配設すれば、例えば連結用足場板２に水平方向に外力が加わったとしてもずれたりすることがない。また、足場１に連結用足場板２を連結した組立足場Ａ（図１及び図２を参照）を組み立てた状態のまま任意の位置に水平移動したりすることも可能となる。
【００４６】
また、図６に示すように、連結具５は、前記ロックプレート５０を前記フック部５１側に付勢する弾性具としてのコイルスプリング５８を配設している。本実施形態では、前記取付プレート５７に形成した係止部５７ａとロックプレート５０のレバー部５４の近傍に突設した係止ピン５４ａとの間に当該コイルスプリング５８を掛け渡している。
このコイルスプリング５８を設けることにより、フック部５１は足場１の天板１０に対して自動的に係合しロックがかかるようになる。
【００４７】
足場１に取付ける前記アタッチメント４は、足場１の端縁部１２ａ（連結相手部材の連結側端部）に着脱自在に取付けられており、図７に示すように、足場１の天板１０の上側面に重合する上面４ａと、取付板５５の垂直壁５５ａと対峙する垂直面４ｂとが形成されるように、鋼板を略Ｌ字状に折曲し、さらに前記垂直面４ｂの下端部分の不要部分を切欠加工するとともに、一部を折曲加工して左右一対の下面４ｃ，４ｃを形成している。そして、前記上面４ａと下面４ｃとに連結孔４３ａと４３ｂとを形成し、図８に示すように、足場１の天板１０の端縁部１２ａにボルト４３で連結固定している。
また、上面４ａの左右側には第１の長孔４２と、これよりも短い第２の長孔４４とを形成し、本実施形態では、第１の長孔４２を、前記係合突起５２を嵌入する係合用孔部としている。また、前記垂直面４ｂの下端を前記フック部５１と係合する係合用凸部４１としている。このように、フック部５１と確実に係合する係合用凸部４１と、係合突起５２が嵌入する第１の長孔４２とをアタッチメント４に設けることで、連結具５としての係合力を十分に高め、強固な連結構造となるようにしている。図中、４４はサブ長孔であり、連結対象部材が異なる場合などに、前記係合突起５２を挿通するために設けている。
【００４８】
なお、アタッチメント４を設けたことで、連結相手部材としては、本実施形態のような足場１の天板１０のみならず、様々な板状の連結相手部材に対しても本連結具５を適用することが可能となるが、必ずしもアタッチメント４を必要とするものではなく、例えば前記天板１０に、前記第１の長孔４２に相当する孔部と係合用凸部４１に相当する凸部を直接形成してもよい。
【００４９】
また、前記フック部５１には、前記アタッチメント４の垂直面４ｂに当接した状態で下方移動したときに、前記フック部５１の係合を解く方向へ前記ロックプレート５０を回動させることのできるテーパ部５０ａを形成している。このテーパ部５０ａを形成したことにより、連結用足場板２を足場１，１間に連結する場合、足場１の天板１０に対して連結用足場板２を上方から下ろしていくだけの簡単な動作で行えるようになる。
【００５０】
以下、連結具５の作用について、図８〜図１５を参照して説明する。
連結用足場板２を足場１，１間に掛け渡す場合、先ず、図９に示すように、連結用足場板２を、足場１に対して上方から下ろしていく。このとき、ロックプレート５０のテーパ面５０ａが足場１のアタッチメント４に当接する。そのままさらに下ろすと、前記テーパ面５０ａによってロックプレート５０が図９において反時計回りに回動し、フック部５１の先端がアタッチメント４の垂直壁４ｂに当接する（図１０）。
そして、その状態のまま、さらに下ろしていくと、図１１に示すように、フック部５１の先端がアタッチメント４の係合用凸部４１から離れる。そして、このように当接する面が無い状態になれば、コイルスプリング５８の作用によって、ロックプレート５０が図において時計回りに回動し、フック部５１が係合用凸部４１にしっかりと係合し、図８に示した状態となる。
このとき、係合突起５２は既にアタッチメント４の第１の長孔４２に挿通するとともに、天板１０のパンチングメタル１１の孔部まで挿通し、係合プレート５６は天板１０に当接しており、連結用足場板２は、足場１の天板１０に対して略面一状態で連結されることになる。
【００５１】
このように、しっかりと連結された連結用足場板２は、例えば作業中などに横方向から負荷が外力として加わって捻れなどが発生し、図１２に示すように、取付板５５とアタッチメント４との間に隙間ｄが生じても、連結具５の係合はしっかりしており係合が解かれたりするおそれがない。しかも、係合突起５２が上方から天板１に挿通されていることから、連結用足場板２が天板１０に対する相対的な位置を保持することができるので、組立足場Ａの形状も乱れることがなく安全である。
【００５２】
また、例えば突風などが吹いて、連結用足場板２の下方から吹き上げても、図１３に示すように、連結用足場板２が若干浮いて、例え取付板５５とアタッチメント４との間に高さ方向に間隙Ｄが生じたとしても、フック部５１が係合用凸部４１としっかり係合し、脱落するおそれはなく、連結用足場板２の浮上量も図示するように僅かであって、作業中であっても何ら問題がない。
【００５３】
ところで、本実施形態に係る連結具５のロックプレート５０の先端に形成された前記フック部５１は、図１４に示すように、ロックプレート５０が回転するときは係合用凸部４１の先端に対して干渉することのないように形成されているので、フック部５１が係合用凸部４１に係合した状態であっても、レバー部５４を操作することにより、簡単に係合状態を解くことができる。
【００５４】
すなわち、連結用足場板２の上、若しくは足場１の天板１０の上にいる作業者が、足場面２１に形成した窓部２３からレバー部５４を引き上げることで、簡単にフック部５１の係合を解くことができる。このとき、図１５に示すように、コイルスプリング５８が支軸５４に対して死点越えとなるので、ロックプレート５０は引き戻されることはなく、また図示するように、ロックプレート５０に対して窓部２３の縁部２３ａがストッパとなって、ロックプレート５０が必要以上に回動することなく、引き上げられた静止状態を維持することができる。
また、この場合、レバー部５４は前記窓部２３から飛び出した状態となっているので、このレバー部５４を操作して下方へ戻すように回動させれば、フック部５１はコイルスプリング５８によって自動的に係合用凸部４１に係合するので、足場面２１上からであっても再度係合させることは容易に行える。
このように、足場面２１に窓部２３を形成し、この窓部２３から連結具５のロックプレート５０の回動操作を行えるようにし、しかもロックプレート５０は係合を解いた状態で静止可能としているので、例えば、連結した連結用足場板２を取り外す場合、片側ずつレバー部５４を操作すればよく、作業者一人であっても簡単に行える。
【００５５】
また、本実施形態では、図１及び図２で示した手摺３にも上述した連結具５と同様な構成と機能を有する手摺用連結具５’を取付け、足場１に対して簡便に着脱可能としている。図１６（ａ）は手摺３の下端部を示す正面図、図１６（ｂ）は同側面図、図１６（ｃ）は同平面図である。なお、連結用足場板２に取付けた連結具５と同一の機能を有する構成要素については同一符号を付して、ここでの詳しい説明は省略する。
本実施形態に係る手摺３は、支柱図１及び図２に示すように、２本の支柱３１，３１に、交差するように２本の上下側横桟３２ａ，３２ｂからなる手摺本体３２を取付けた構成としており、本実施形態では、前記２本の支柱３１，３１の下端部に、上述した構成と略同様の構成からなる手摺用連結具５’をそれぞれ取付けている。
また、この手摺３を足場１に取付ける場合、当該足場１の大きさに応じて２つの手摺３，３の間に必要長さの連結手摺３０を連結可能としている。
【００５６】
本実施形態においては、前記２本の支柱３１にそれぞれ取付けた手摺用連結具５’同士を、図１６に示すように、操作杆７により連動連結している。
すなわち、各手摺用連結具５’のロックプレート５０の向かい合う側面同士を操作杆７により連結し、この操作杆７を回動させることにより、２つのロックプレート５０を同時に回動させることができるようにしている。したがって、足場１に連結した手摺３を取り外す場合、前記操作杆７を回動させるワンタッチ操作により、各手摺用連結具５’のフック部５１と足場１の天板１０との係合を解くことができる。
このように、手摺３の足場１との連結構造としては、２本の支柱３１，３１からなる複数の連結対象部材にそれぞれ手摺用連結具５’を取付け、各連結具５’同士を単一の操作部である操作杆７により連動連結した点が連結用足場板２と異なっている。
【００５７】
さらに、図１６（ｃ）に示すように、この手摺用連結具５’では、係合プレート５７に設ける係合突起５２を、各ロックプレート５０の前方に位置するように配置している。そして、これら係合突起５２，５２は、前記アタッチメント４に形成した第２の長孔４４に挿通するようにしている。
このように、２つの係合突起５２を設けることにより、手摺３に水平方向に外力が加わったとしても位置ずれが生じることがなく、手摺３としての安全性を向上させている。また、手摺３に上方への力が加わっても、前述してきたように、フック部５１がしっかりと足場１の天板１０に下方から係合しているために浮き上がって脱落するようなおそれもない。
【００５８】
上述してきた実施形態から、以下の連結具及び同連結具を備える連結用足場板並びに手摺が実現できる。
連結対象部材（例えば、連結用足場板１あるいは手摺３）に取付けられ、板状の連結相手部材（例えば、足場１の天板１０）に対して下方向から係合する第１の係合部（例えば、フック部５１）と、上方から係合する第２の係合部（例えば、係合プレート５６、あるいはこの係合プレート５６に突設した係合突起５２を含む）とを有し、前記第１の係合部（フック部５１）を、略水平状態に設けた支軸５３周りに回動自在に取付けられたロックプレート５０の前記支軸５３を挟む上下端部のうち下端部に形成した連結具（例えば、連結具５、手摺用連結具５’）。すなわち、この連結具では、第２の係合部としては、連結相手部材に重合状態に係合するものであればその形状や構造は特に限定されるものではない。
【００５９】
上記連結具において、前記支軸５３が突設され、かつ前記連結相手部材（足場１の天板１０）の連結側端面（例えば、足場１の天板１０の端面、あるいはこの足場１に取付けられるアタッチメント４の垂直面４ｂ）に当接可能な取付板５５を備え、この取付板５５の上端から略水平方向に伸延させた係合プレート５７の裏面に係合突起５２を突設して前記第２の係合部とした連結具（連結具５、手摺用連結具５’）。
【００６０】
前記係合突起５２を複数並設した連結具（連結具５、手摺用連結具５’）。
【００６１】
前記第１の係合部（フック部５１）に、前記連結相手部材（足場１の天板１０）の連結側端面（足場１の天板１０の端面、あるいはこの足場１に取付けられるアタッチメント４の垂直面４ｂ）に当接した状態で下方移動したときに、前記フック部５１の係合を解く方向へロックプレート５０を回動させるテーパ部５０ａを形成した連結具（連結具５、手摺用連結具５’）。
【００６２】
前記ロックプレート５０を前記第１の係合部（フック部５１）側に付勢する弾性具（例えば、コイルスプリング５８）を配設した連結具（連結具５、手摺用連結具５’）。
【００６３】
前記ロックプレート５０の上端部に、前記弾性具（コイルスプリング５８）の付勢力に抗して前記ロックプレート５０を回動可能としたレバー部５４を形成した連結具（連結具５、手摺用連結具５’）。
【００６４】
前記連結相手部材（足場１の天板１０）の連結側端部近傍に、前記第１の係合部（フック部５１）と係合する係合用凸部４１と、前記第２の係合部（係合突起５２）を嵌入する係合用孔部（例えば、第１の長孔４２や第２の長孔）とを設けた連結具（連結具５、手摺用連結具５’）。
【００６５】
前記連結相手部材（足場１の天板１０）の連結側端部に着脱自在に取付可能としたアタッチメント４を別体で備え、このアタッチメント４に前記係合用凸部４１と前記係合用孔部（第１の長孔４２や第２の長孔）とを設けた連結具（連結具５、手摺用連結具５’）。
【００６６】
複数の脚体（例えば、脚柱１２）により支持された天板１０を備えた足場１に着脱自在に連結可能とした連結用足場板２であって、連結相手部材となる前記足場１の天板１０の端縁部に対峙する連結端縁部に、上記してきた各連結具５のいずれかを配設した連結用足場板２。
【００６７】
複数の脚体（例えば、脚柱１２）により支持された天板１０を備えた足場１に着脱自在に連結可能とした手摺３であって、連結相手部材となる前記足場１の天板１０の端縁部に立設する支柱３１の下端部に、上記してきた各連結具（手摺用連結具５’）のいずれかを配設した手摺３。
【００６８】
なお、本発明は上記実施形態に記載された構成に限定されるものではなく、特許請求の範囲の主旨を逸脱することのない限り、変形あるいは設計変更することが可能である。また、本発明の実施の形態に記載された効果は、本発明から生じる最も好適な効果を列挙したに過ぎず、本実施の形態のものに限定されるものではない。
【図面の簡単な説明】
【００６９】
【図１】組立足場の正面図である。
【図２】同組立足場の平面図である。
【図３】組立足場を構成する既存の足場の正面図である。
【図４】同平面図である。
【図５】連結用足場板の説明図である。
【図６】連結用足場板の要部を断面視で示した説明図である。
【図７】アタッチメントの説明図である。
【図８】連結具の動作説明図である。
【図９】連結具の動作説明図である。
【図１０】連結具の動作説明図である。
【図１１】連結具の動作説明図である。
【図１２】連結具の動作説明図である。
【図１３】連結具の動作説明図である。
【図１４】連結具の動作説明図である。
【図１５】連結具の動作説明図である。
【図１６】手摺の説明図である。
【符号の説明】
【００７０】
Ａ  組立足場
１  足場
２  連結用足場板
３  手摺
４  アタッチメント
４ｂ  垂直面
５  連結具
５’  手摺用連結具
１０  天板
４１  係合用凸部
４２  第１の長孔（係合用孔部）
４４  第２の長孔（係合用孔部）
５０  ロックプレート
５１  フック部（第１の係合部）
５２  係合突起（第２の係合部）
５３  支軸
５５  取付板
５８  コイルスプリング（弾性具）
【図１】
2006241715.tif 000003
【図２】
2006241715.tif 000004
【図３】
2006241715.tif 000005
【図４】
2006241715.tif 000006
【図５】
2006241715.tif 000007
【図６】
2006241715.tif 000008
【図７】
2006241715.tif 000009
【図８】
2006241715.tif 000010
【図９】
2006241715.tif 000011
【図１０】
2006241715.tif 000012
【図１１】
2006241715.tif 000013
【図１２】
2006241715.tif 000014
【図１３】
2006241715.tif 000015
【図１４】
2006241715.tif 000016
【図１５】
2006241715.tif 000017
【図１６】
2006241715.tif 000018